(57)【特許請求の範囲】
【請求項１】
トランスミッタであって、
少なくとも１つの第１のトーンを生成する第１のトーン生成器と、
少なくとも１つの第２のトーンを生成する第２のトーン生成器と、
複素信号の第１の成分と前記少なくとも１つの第１のトーンとに応答して第１の出力信号を生成する第１のシグマ−デルタ変調器と、
前記複素信号の第２の成分と前記少なくとも１つの第２のトーンとに応答して第２の出力信号を生成する第２のシグマ−デルタ変調器と、
前記第１及び第２の出力信号を変調する伝送変調器であって、前記第１の成分と前記少なくとも１つの第１のトーンとが、変調された第１の出力信号で表され、前記少なくとも１つの第１のトーンが、前記変調された第１の出力信号で表されるように前記第１の成分の帯域幅の外であり、前記第２の成分と前記少なくとも１つの第２のトーンとが、変調された第２の出力信号で表され、前記少なくとも１つの第２のトーンが、前記変調された第２の出力信号で表されるように前記第２の成分の帯域幅の外であり、前記伝送変調器が、前記第１及び第２の出力信号をそれらの第１及び第２の位相を表す第１及び第２の位相信号に変換するためのセパレータを含む、前記伝送変調器と、
前記変調された第１及び第２の出力信号を増幅する増幅器と、
前記増幅の後に前記増幅された信号における前記トーンを減衰させるために前記増幅器に結合されるフィルタと、
を含む、トランスミッタ。
【請求項２】
請求項１に記載のトランスミッタであって、
前記第１の出力信号を生成することが前記第１の成分のシグマ−デルタ変調を含み、前記第２の出力信号を生成することが前記第２の成分のシグマ−デルタ変調を含む、トランスミッタ。
【請求項３】
請求項１に記載のトランスミッタであって、
前記伝送変調器が、前記第１の位相信号を変調する第１の位相変調器と、前記第２の位相信号を変調する第２の位相変調器とを含む、トランスミッタ。
【請求項４】
請求項３に記載のトランスミッタであって、
前記増幅器が、前記変調された第１の位相信号を増幅する第１の増幅器と、前記変調された第２の位相信号を増幅する第２の増幅器とを含む、トランスミッタ。
【請求項５】
請求項１に記載のトランスミッタであって、
前記第１のシグマ−デルタ変調器が、第１の周波数で前記第１の成分を受信するためであり、前記伝送変調器が、前記第１の周波数より高い第２の周波数で前記第１の出力信号を変調するためである、トランスミッタ。
【請求項６】
請求項１に記載のトランスミッタであって、
前記少なくとも１つの第１のトーンが、前記第１の成分の帯域幅を下回る低トーンと、前記第１の成分の帯域幅を上回る高トーンとを含む、トランスミッタ。
【請求項７】
請求項６に記載のトランスミッタであって、
前記変調されたトーンが前記増幅器の周波数範囲内にある、トランスミッタ。
【請求項８】
請求項１に記載のトランスミッタであって、
前記トーンが前記増幅器の平均動作電力を増大させるためである、トランスミッタ。
【請求項９】
方法であって、
少なくとも１つの第１のトーンを生成することと、
少なくとも１つの第２のトーンを生成することと、
複素信号の第１の成分と前記少なくとも１つの第１のトーンとに応答して第１の出力信号を生成することと、
前記複素信号の第２の成分と前記少なくとも１つの第２のトーンとに応答して第２の出力信号を生成することと、
前記第１及び第２の出力信号を変調することであって、前記第１の成分と前記少なくとも１つの第１のトーンとが、前記変調された第１の出力信号で表され、前記少なくとも１つの第１のトーンが、前記変調された第１の出力信号で表されるように前記第１の成分の帯域幅外であり、前記第２の成分と前記少なくとも１つの第２のトーンとが、前記変調された第２の出力信号で表され、前記少なくとも１つの第２のトーンが、前記変調された第２の出力信号で表されるように前記第２の成分の帯域幅外であり、前記第１及び第２の出力信号を変調することが、それらをそれらの第１及び第２の位相を表す第１及び第２の位相信号に変換することを含む、前記変調することと、
前記変調された第１及び第２の出力信号を増幅することと、
前記増幅の後に前記増幅された信号における前記トーンを減衰させることと、
を含む、方法。
【請求項１０】
請求項９に記載の方法であって、
前記第１の出力信号を生成することが前記第１の成分のシグマ−デルタ変調を含み、前記第２の出力信号を生成することが前記第２の成分のシグマ−デルタ変調を含む、方法。
【請求項１１】
請求項９に記載の方法であって、
前記第１及び第２の出力信号を変調することが、前記第１の位相信号を第１の位相変調器で変調することと、前記第２の位相信号を第２の位相変調器で変調することとを含む、方法。
【請求項１２】
請求項１１に記載の方法であって、
前記変調された第１及び第２の出力信号を増幅することが、前記変調された第１の位相信号を第１の増幅器で増幅することと、前記変調された第２の位相信号を第２の増幅器で増幅することとを含む、方法。
【請求項１３】
請求項９に記載の方法であって、
前記第１の出力信号を生成することが第１の周波数で前記第１の成分を受信することを含み、前記第１の出力信号を変調することが前記第１の周波数より高い第２の周波数で前記第１の出力信号を変調することを含む、方法。
【請求項１４】
請求項９に記載の方法であって、
前記少なくとも１つの第１のトーンが、前記第１の成分の帯域幅を下回る低トーンと、前記第１の成分の帯域幅を上回る高トーンとを含む、方法。
【請求項１５】
請求項１４に記載の方法であって、
前記変調された第１及び第２の位相信号を増幅することが、前記変調された第１及び第２の位相信号を増幅器で増幅することを含み、前記変調されたトーンが前記増幅器の周波数範囲内にある、方法。
【請求項１６】
請求項９に記載の方法であって、
前記変調された第１及び第２の位相信号を増幅することが、前記変調された第１及び第２の位相信号を増幅器で増幅することを含み、前記トーンが前記増幅器の平均動作電力を増大させるためである、方法。
【請求項１７】
トランスミッタであって、
少なくとも１つの第１のトーンと少なくとも１つの第２のトーンとを生成するためのトーン生成器と、
複素信号の第１の成分と前記少なくとも１つの第１のトーンとに応答して第１の出力信号を生成するための第１のシグマ−デルタ変調器と、
前記複素信号の第２の成分と前記少なくとも１つの第２のトーンとに応答して第２の出力信号を生成するための第２のシグマ−デルタ変調器と、
前記第１及び第２の出力信号を変調するための位相変調器であって、前記第１の成分と前記少なくとも１つの第１のトーンとが、前記変調された第１の出力信号で表され、前記少なくとも１つの第１のトーンが、前記変調された第１の出力信号で表されるように前記第１の成分の帯域幅外であり、前記第２の成分と前記少なくとも１つの第２のトーンとが、前記変調された第２の出力信号で表され、前記少なくとも１つの第２のトーンが、前記変調された第２の出力信号で表されるように前記第２の成分の帯域幅の外であり、前記位相変調器が、前記第１及び第２の出力信号をそれらの第１及び第２の位相を表す第１及び第２の位相信号に変換するためセパレータを含む、前記位相変調器と、
前記変調された第１及び第２の出力信号を増幅するための増幅器と、
前記増幅の後、前記増幅された信号における前記トーンを減衰させるために前記増幅器に結合されるフィルタと、
を含む、トランスミッタ。
【請求項１８】
請求項１７に記載のトランスミッタであって、
前記位相変調器が、前記第１の位相信号を変調するための第１の位相変調器と、前記第２の位相信号を変調するための第２の位相変調器とを含む、トランスミッタ。
【請求項１９】
請求項１７に記載のトランスミッタであって、
前記第１及び第２のシグマ−デルタ変調器が、第１の周波数で前記第１及び第２の成分を受信するためであり、前記位相変調器が、前記第１の周波数より高い第２の周波数で前記第１及び第２の出力信号を変調するためである、トランスミッタ。
【請求項２０】
請求項１７に記載のトランスミッタであって、
前記少なくとも１つの第１のトーンが、前記第１の成分の前記帯域幅を下回る低トーンと、前記第１の成分の前記帯域幅を上回る高トーンとを含む、トランスミッタ。
【請求項２１】
請求項１７に記載のトランスミッタであって、
前記変調されたトーンが前記増幅器の周波数範囲内にある、トランスミッタ。
【請求項２２】
請求項１７に記載のトランスミッタであって、
前記トーンが前記増幅器の平均動作電力を増大させるためである、トランスミッタ。
【請求項２３】
請求項１７に記載のトランスミッタであって、
前記トーン生成器が、前記少なくとも１つの第１のトーンを生成するための第１のトーン生成器と、前記少なくとも１つの第２のトーンを生成するための第２のトーン生成器とを含む、トランスミッタ。
【請求項２４】
請求項１７に記載のトランスミッタであって、
前記増幅器が、前記変調された第１の出力信号を増幅するための第１の増幅器と、前記変調された第２の出力信号を増幅するための第２の増幅器とを含む、トランスミッタ。
【発明の詳細な説明】
【技術分野】
【０００１】
本願は、概して無線周波数（ＲＦ）電力増幅器に関し、特に、トランスミッタ、及び伝送の方法に関連する。
【背景技術】
【０００２】
無線周波数（ＲＦ）トランスミッタには、高ピーク対平均比（ＰＡＲ）で非効率的に動作するものがある。高ＰＡＲでは、ＲＦ出力は、ほとんどの時間、比較的低いが、時折ピークレベルまで上昇する。典型的なＲＦパワーアンプは、高電力又は低ＰＡＲで最も効率的に動作する。電力レベルが低減されるにつれて、効率は急激に低下し、平均効率は高ＰＡＲでは最大限には達しない。
【発明の概要】
【０００３】
記載される例において、少なくとも一つのトーンが生成される。入力信号及び少なくとも一つのトーンに応答して出力信号が生成される。出力信号は変調される。入力信号及び少なくとも一つのトーンは、変調された出力信号で表される。少なくとも一つのトーンは、変調された出力信号で表されるように、入力信号の帯域幅外である。変調された出力信号は増幅される。増幅後、増幅された信号における少なくとも一つのトーンが減衰される。
【図面の簡単な説明】
【０００４】
【図１】トランスミッタの一実施例のブロック図である。
【０００５】
【図２】図１の変調器からの出力信号の例示のグラフである。
【０００６】
【図３】トランスミッタの別の実施例のブロック図である。
【０００７】
【図４】図３のプロセッサのオペレーションのフローチャートである。
【発明を実施するための形態】
【０００８】
本明細書に開示するトランスミッタ及び方法は、電力増幅器のＰＡＲを低減するために、入力信号の変調された帯域幅の外のトーン（側波帯など）を導入する。幾つかの実施例において、こういったトーンは、伝送前にフィルタリングによって取り除かれる。トーンを導入することにより、伝送される平均電力の、消費される平均電力に対する比が増大され、これはトランスミッタの効率を増大させる。
【０００９】
図１は、トランスミッタ１００の一実施例のブロック図である。トランスミッタ１００は、入力（ベースバンドなど）信号１０４を受信する加算器１０２を含む。加算器１０２は、シグマ−デルタ変調器（「ＳＤＭ」）１０６の一部である。ＳＤＭ１０６は、サンプリング周波数Ｆｓで動作する。また、ＳＤＭ１０６は、トーン生成器１１４に結合される加算器１１０を含む。第１の実施例において、ＳＤＭ１０６及びトーン生成器１１４は互いに別個である。第２の実施例において、ＳＤＭ１０６及びトーン生成器１１４は互いに一体である。ＳＤＭ１０６は、入力信号１０４に応答してその出力信号を生成し、トーン生成器１１４は少なくとも一つのトーンを生成する。
【００１０】
ＳＤＭ１０６は、伝送変調器１２０（ＲＦ変調器など）に結合され（例えば、接続され）、伝送変調器１２０は、ＳＤＭ１０６からの出力信号を伝送のための信号に変調する（又はその他の方式で変換する）。幾つかの実施例において、変調器１２０は、このような変調を実施するために周波数Ｆｓより高い周波数Ｆｃでキャリアを生成する。
【００１１】
変調器１２０からの変調された出力信号は、パワーアンプ１２２により受信される。増幅器１２２の一例には、Ｄ級及びＥ級増幅器などのスイッチング電力増幅器が含まれる。増幅器１２２の別の例には、Ａ級、Ｂ級、及びＡ級／Ｂ増幅器などの線形増幅器が含まれる。増幅器１２２は、トーン生成器１１４からのトーンを含む、変調器１２０からの変調された出力信号を増幅する。増幅された信号は、増幅器１２２からフィルタ１２４に出力される。幾つかの実施例において、フィルタ１２４は従来のアンテナに組み込まれる。フィルタ１２４は、トーン生成器１１４からの（増幅された信号における）トーンを減衰する。
【００１２】
第１の例において、入力信号１０４はオーディオ信号である。第２の例において、入力信号１０４は複素信号の成分である。一例において、入力信号１０４は直交信号のＩ成分である。ＳＤＭ１０６は、加算器１０２からの出力信号を受信及びフィルタリングするループフィルタＨ（ｚ）を含む。フィルタＨ（ｚ）からの出力信号が加算器１１０により受信され、加算器１１０は、このような出力信号をトーン生成器１１４からのトーンに付加する。加算器１１０からの出力信号が、量子化器１２６により受信及び量子化される。加算器１０２は、量子化器１２６からの量子化された出力信号（これは、ＳＤＭ１０６からの出力信号である）を受信し、このような量子化された出力信号を入力信号１０４から減算する。一実施例において、たとえ、加算器１０２、フィルタＨ（ｚ）、加算器１１０、及び量子化器１２６からのそれぞれの信号が異なる信号として言及される場合でも、ＳＤＭ１０６は、一つの工程でトーンを付加してその出力信号を生成する。
【００１３】
図２は、変調器１２０からの変調された出力信号の例示のグラフである。図２に示すように、変調器１２０は、周波数Ｆｃで変調するためキャリア１５０を生成する。入力信号１０４及びトーン生成器１１４からのトーンは、変調器１２０からの変調された出力信号で表される。例えば、図２の変調された出力信号で表されるように、第１及び第２のトーン１５２及び１５４（トーン生成器１１４からなど）の周波数は、（ａ）入力信号１０４の帯域幅１５６（「変調された帯域幅」）の外であり、（ｂ）増幅器１２２の周波数範囲内であり、そのため、それらのトーンは増幅器１２２により増幅される。例えば、第１のトーン１５２は周波数Ｆｃを下回る周波数に位置し、第２のトーン１５４は周波数Ｆｃを上回る周波数に位置する。幾つかの実施例において、トーン１５２及び１５４は、周波数Ｆｃ辺りで実質的に対称的であり、そのため、それらは周波数Ｆｃからほぼ同じ距離にある。
【００１４】
本明細書に記載の実施例において、変調器１２０は、ＳＤＭ１０６からの出力信号を変調するためにＬＩＮＣ変調又はＡＭＯオペレーションを実施する。従って、変調器１２０の例には、ＬＩＮＣ／ＡＭＯ（非線形要素／非対称的マルチレベルアウトフェージングを用いる線形変調）アウトフェージングデジタル変調器及びＲＦアップコンバータが含まれる。他の実施例において、変調器１２０は従来の直交変調器を含む。
【００１５】
変調器１２０が、ＳＤＭ１０６からの出力信号をキャリア周波数Ｆｃで変調した後、変調器１２０からの変調された出力信号は、増幅器１２２により増幅される。トランスミッタ１００は、（ａ）増幅器１２２の平均動作電力が、トーン１５２及び１５４がない場合より大きく、及び（ｂ）ピーク対平均比（ＰＡＲ）が一層低くなるように、トーン１５２及び１５４を増幅器１２２の周波数範囲内に保つ。そのようにして、増幅器１２２は、一層高い平均電力で動作し、そのため、一層効率的に動作する。
【００１６】
図１の実施例において、フィルタ１２４は、変調された帯域幅内の信号を通過させるバンドパスフィルタであり、トーン１５２及び１５４を減衰させる。幾つかの実施例において、フィルタ１２４は、アンテナの負荷に組み込まれ、また、アンテナのインピーダンスを他の回路に整合させるために、レジスタ及びインダクタなどの負荷構成要素を含む。そのような実施例において、アンテナの負荷が、トーン１５２及び１５４を更に減衰させる。その結果、増幅器１２２は、トーン１５２及び１５４を増幅することにより一層高効率で動作するが、トーン１５２及び１５４は減衰されるためそれらは伝送されない。
【００１７】
第１の実施例において、トーン生成器１１４は矩形波を生成し、これは、単一トーン１５２及び１５４を生成する。第２の実施例において、トーン生成器１１４は、三角波又は正弦波などの他の波形を生成する。幾つかの実施例において、トーン生成器１１４からのトーンの波形は、周期的であり、ディザリングを生成する。このような種々の波形は、種々の設計選択肢に対応するために適切な、異なるトーン又は高調波を生成することが可能である。
【００１８】
幾つかの実施例において、トーン生成器１１４は入力信号１０４に応答してトーンを生成する。そのような実施例において、入力信号１０４は、加算器１１０による加算のため側波帯周波数に混合される。一例において、それらのトーンは、そうでなければトーン生成器１１４によって生成され得るトーンよりも広い帯域幅を有する。そのような実施例の一つのバージョンにおいて、フィルタ１２４は、トーン生成器１１４からの（増幅された信号における）トーンを減衰する狭帯域通過フィルタである。幾つかの実施例において、トランスミッタ１００は、このような減衰を実施するために付加的なフィルタを含む。
【００１９】
図３は、トランスミッタ２００の別の実施例のブロック図である。トランスミッタ２００は、トランスミッタ２００が、Ｉ及びＱ成分などの複素信号の２つの成分を処理することを除き、トランスミッタ１００と同様の方式で動作する。トランスミッタ２００は入力段２０２を有し、入力段２０２は複素信号を受信する。この例では、入力段２０２は、（ａ）複素信号のＩ成分を表す第１の信号２０４と、（ｂ）複素信号のＱ成分を表す第２の信号２０６とを受信する。第１の信号２０４は、トランスミッタ２００の第１の部分（「Ｉプロセッサ」）２１０により受信され、Ｉプロセッサ２１０は複素信号のＩ成分を処理する。第２の信号２０６は、トランスミッタ２００の第２の部分（「Ｑプロセッサ」）２１２により受信され、Ｑプロセッサ２１２は複素信号のＱ成分を処理する。
【００２０】
Ｉプロセッサ２１０を参照すると、第１の信号２０４はサンプリング回路２１４により受信され、サンプリング回路２１４は第１の信号２０４をサンプリングする。幾つかの実施例において、サンプリング回路２１４は、パルス符号化又は量子化された信号を生成及び出力し、この信号はＩ成分を表す。
【００２１】
サンプリング回路２１４からの出力信号は、ＳＤＭ２１６により受信される。幾つかの実施例において、ＳＤＭ２１６は、ナイキストサンプリングレートより大きいサンプリングレートを有するオーバーサンプリング変調器と称される。幾つかの実施例において、サンプリングレートは、ナイキストサンプリングレートより大きい多くの因子である。従って、高周波数非線形性は典型的に、変調された帯域幅の外にある。トーン生成器２２０が、本明細書に上述したトーンを生成する。ＳＤＭ２１６はループフィルタ２２２を含み、ループフィルタ２２２は、加算器２２３からの出力信号を受信及びフィルタリングする。フィルタ２２２からの出力信号が加算器２２４により受信され、加算器２２４はこのような出力信号をトーン生成器２２０からのトーンに付加する。加算器２２４からの出力信号が、量子化器２２６により受信及び量子化される。加算器２２３は、量子化器２２６からの量子化された出力信号（これは、ＳＤＭ２１６からの出力信号である）を受信し、このような量子化された出力信号を、ＳＤＭ２１６が回路２１４から受信する信号から減算する。
【００２２】
Ｑプロセッサ２１２は、Ｑプロセッサ２１２が（第１の信号２０４の代わりに）第２の信号２０６に応答して動作することを除き、Ｉプロセッサ２１０と同じタイプの成分を有し、同じタイプのオペレーションを実施する。従って、Ｑプロセッサ２１２は、サンプリング回路２３０及びＳＤＭ２３２を含む。図３の実施例において、ＳＤＭ２１６からの出力信号は、サンプリングされ、フィルタリングされ、量子化された第１の信号２０４のＩ成分（「Ｉ信号」）であり、トーン生成器２２０からのトーンが付加されている。同様に、ＳＤＭ２３２からの出力信号は、サンプリングされ、フィルタリングされ、量子化された第２の信号２０６のＱ成分（「Ｑ信号」）であり、ＳＤＭ２３２に結合されるトーン生成器からのトーンが付加されている。一実施例において、ＳＤＭ２３２は、ＳＤＭ２１６と実質的に同じであり、トーン生成器は互いに実質的に同じである。
【００２３】
Ｉ及びＱ信号は、伝送変調器２３８により受信される。幾つかの実施例において、変調器２３８は、図１の変調器１２０に実質的に類似する。従って、変調器２３８の例は、ＬＩＮＣ（linear using non-linear components：非線形要素を用いる線形）及びＡＭＯ（asymmetrical multi-level out-phasing：非対称マルチレベルアウトフェージング）変調器を含む。
【００２４】
変調器２３８は、ＳＤＭ２１６及び２３２に結合される信号成分セパレータ２４０を含む。図３の実施例において、セパレータ２４０は、（それぞれ、ＳＤＭ２１６及び２３２からの）Ｉ及びＱ信号を、Ｉ及びＱ信号のＳ１及びＳ２位相を表す２つの位相信号（即ち、Ｓ１及びＳ２）に変換する。従って、セパレータ２４０は、Ｓ１位相を表す電圧としてＳ１位相信号を、及びＳ２位相を表す電圧としてＳ２位相信号を生成する。
【００２５】
Ｓ１位相信号は、第１の位相変調器２４２により受信及び変調される。同様に、Ｓ２位相信号は、第２の位相変調器２４４により受信及び変調される。従って、位相変調器２４２及び２４４は、それらの位相変調された信号を生成及び出力し、これらの信号はトーンを含む。例示の実施例において、ＳＤＭ２１６及び２３２により出力された信号は量子化され、そのため、Ｓ１及びＳ２位相信号は、所定の数の位相に量子化される。
【００２６】
第１の位相変調器２４２からの変調された出力信号は第１の増幅器２４６により受信され、第２の位相変調器２４４からの変調された出力信号は第２の増幅器２４８により受信される。幾つかの実施例において、増幅器２４６及び２４８は、電力増幅器であり、それらの信号を無線周波数（ＲＦ）伝送のための電力レベルまで増幅する。変調器２３８からの変調された出力信号で表されるように、トーン生成器から（トーン生成器２２０からなど）のトーンの周波数は、（ａ）信号２０４及び２０６の変調された帯域幅の外であり、（ｂ）増幅器２４６及び２４８の周波数範囲内にある。従って、増幅器２４６及び２４８の平均動作電力は、増幅されたトーンがない場合より大きくなり得、そのため、ピーク対平均比（ＰＡＲ）が一層低い。例えば、伝送される平均電力の、消費される平均電力に対する比が増大する。このようにして、増幅器２４６及び２４８は一層高い平均電力で動作し、そのため、それらは一層効率的に動作する。
【００２７】
増幅器２４６及び２４８からの増幅された信号は、それらの増幅された信号を結合する電力コンバイナ２５０により受信される。幾つかの実施例において、電力コンバイナ２５０は、トーンをそれらが伝送されないように減衰させるためのバンドパスフィルタなどのフィルタを含む。電力コンバイナ２５０は、結合された信号を、負荷ＲＬとマッチングされたアンテナ（図示せず）に出力する。負荷ＲＬは、アンテナ又はその他の伝送デバイスのためのインピーダンスマッチングを提供する。幾つかの実施例において、負荷ＲＬは（他のインピーダンスマッチングデバイスと共に）付加的なフィルタリングを提供する。
【００２８】
図４は、プロセッサ２１０及び２１２の一つを表すＩプロセッサ２１０のオペレーションのフローチャート３００である。工程３０２で、入力信号の第１の成分が受信される。工程３０４で、第１の成分を変調すること及びそこに少なくとも一つのトーンを付加することによって、第１の信号が生成される。工程３０６で、第１の信号を変調することによって第２の信号が生成される。工程３０８で、第２の信号は、増幅器により増幅され、この少なくとも一つのトーンが増幅器の平均電力を増大させる。工程３１０で、増幅の後、この少なくとも一つのトーンは、増幅された第２の信号からフィルタリングされる。
【００２９】
図１及び図２を参照し、パワーアンプ１２２においてトーン１５２及び１５４上で浪費されたエネルギーは、電力増幅器においてキャリア１５０を伝送する際に節約されたエネルギーに比べて無視し得ることが分かっている。幾つかの実施例において、伝送された総電力の１％未満がトーン１５２及び１５４上で浪費される。しかし、トーン１５２及び１５４は、パワーアンプ１２２が主に一層効率的な動作ポイントに対応する一層大きい振幅値で動作するように、全体的な信号分布を再整形する。幾つかの実施例において、パワーアンプ１２２の平均効率は、トーン１５２及び１５４を付加することにより１０％から５０％まで増大される。例えば、節約された電力が、平均電力の０．９倍マイナス平均電力の０．５倍に等しい場合、節約された電力は平均電力の０．４倍に等しい。トーン１５２及び１５４を生成するために用いられる余分電力が平均電力の１パーセントに等しい場合、余分電力は平均電力の０．０１倍に等しい。従って、節約された総電力は平均電力の０．３９倍に等しい。
【００３０】
本発明の特許請求の範囲内で、説明した例示の実施例に変形が成され得、多くの他の実施例が可能である。
【図１】
0006444422.tif 000002
【図２】
0006444422.tif 000003
【図３】
0006444422.tif 000004
【図４】
0006444422.tif 000005